(57)【要約】【課題】陰唇間に装着する陰唇間パッドの併用パッドなどとの固定層同士の貼り付きを防止する。【解決手段】  陰唇間に装着されるパッド本体１５の反身体側に粘着力の弱い粘着剤か機械式ファスナのフックからなる固定層１７を形成する。  陰唇間パッド１０を個装するときは、パッド本体１５の固定層１７を内側にして二つ折りする。この場合固定層１７を粘着剤で形成しても、その剥離力は弱いので剥離シートは不要である。【選択図】           図１
2007097958.tif 000002
【特許請求の範囲】
【請求項１】
陰唇間に装着される陰唇間パッドであって、該パッドの裏面に固定層を有し、該固定層の剥離力が5〜50cN/25mmであることを特徴とする陰唇間パッド。
【請求項２】
請求項１に記載された陰唇間パッドにおいて、
前記固定層は粘着層であることを特徴とする陰唇間パッド。
【請求項３】
陰唇間に装着される陰唇間パッドであって、該パッドの裏面に機械的ファスナのフックからなる固定層を有していることを特徴とする陰唇間パッド。
【請求項４】
請求項１ないし３のいずれかに記載された陰唇間パッドを内包した包装体であって、
前記固定層同士が向き合うように二つ折りした前記陰唇間パッドを包装シートで収納したことを特徴とする陰唇間パッド包装体。
【発明の詳細な説明】
【技術分野】
【０００１】
本発明は、陰唇間に装着し、経血などの体液を吸収するための陰唇間パッド及び該陰唇間パッドを内包した陰唇間パッド包装体に関するものである。
【背景技術】
【０００２】
女性の生理用ナプキンとしていわゆる生理用ナプキン及びタンポンがある。生理用ナプキンは例えばショーツに取り付けるなどして、膣口にあてて経血などを吸収するが、身体の動きと下着の動きにズレを生じた場合や、下着に大きな負荷がかかった場合などでは、生理用ナプキンは膣口とズレたり、身体と生理用ナプキンとの間に隙間が生じて、経血が漏れる虞がある。
【０００３】
また、タンポンは装着時に挿入に関する違和感があったり、装着に慣れが必要であり、必ずしも取り扱い易いものではない。
そのため、生理用ナプキンに補助具を用いて、身体との密着性を向上し、経血の漏れを防止するようにすることが行われている。
これらの補助具は、生理用ナプキンに固着して用いられることから、着用者の活動に応じて生理用ナプキンに位置ズレやヨレ等の変形が生じた場合には、補助具も一緒に位置ズレや変形を起こしてしまう。
【０００４】
そこで、例えば、陰唇に密着する補助パッドと生理用ナプキンとを組み合わせて用いるパッドにおいて、補助パッドの反身体側（非肌当接面側）に設けた粘着剤で補助パッドを生理用ナプキンに取り付けると共に、補助パッドの身体側面に肌に貼り付けるための粘着剤を塗布し、着用者の急激な体勢変化によっても、補助パッドと身体との間に空隙が生じないようにしたものが提案されている（特許文献１参照）
しかしながら、特許文献１に記載された補助パッドのように粘着剤を用いて生理用ナプキンや身体に接合するものでは、粘着剤同士が貼り付き易く、そのため取り扱い難いという問題がある。
【特許文献１】特開２００３−３８５６４号公報
【発明の開示】
【発明が解決しようとする課題】
【０００５】
本発明は、従来の補助パッド付き生理用ナプキンや陰唇間パッドの問題に鑑みてなされたものであって、その目的は、陰唇間パッドと生理用ナプキン等の併用パッドと接合して使用できるようにしつつ、その接合のための固定層同士が貼り付いて剥がし難くなるのを防止することである。
【課題を解決するための手段】
【０００６】
請求項１の発明は、陰唇間に装着されるパッドであって、該パッドの裏面に固定層が形成されており、該固定層の剥離力が5〜50cN/25mmであることを特徴とする。
請求項４の発明は、陰唇間パッドを内包した包装体であって、前記固定層を内側に折り畳んだ状態で二つ折りした請求項１ないし３のいずれかに記載された前記陰唇間パッドを収納したことを特徴とする。
なお、経血その他の体液を吸収することを目的に陰唇間に装着する衛生用品を陰唇間パッドと総称する。
【０００７】
（作用）
本発明に係る陰唇間パッドは、非肌当接面側（身体側と反対側）に設けた指挿入部に利き手の指を挿入し、他方手の指で陰唇を開き前記パッドを装着する。また、陰唇間パッドは、その通液孔の周りの固定層により生理用ナプキン等の併用パッドに接着し、通液孔を介して経血等を併用パッドに誘導する。陰唇間パッドは使用後併用パッドと一緒に外すことができる。
【発明の効果】
【０００８】
本発明によれば、陰唇間パッドを陰唇間に装着するため、装着中のパッドがズレて経血などが漏れる虞がなく、その固定層により生理用ナプキン等の併用パッドに固定でき、かつ使用後は生理用ナプキン等と一緒に外すことができ誤って落下させたり或いは手を汚すことがない。また、固定層の剥離力を低くしたため、固定層同士が接触しても貼り付きが起こらず取り扱い易い。
また、陰唇間パッドは、その固定層が向き合うように二つ折りして包装体内に収容するから、従来のように固定層を剥離シートで被覆する必要がなく、製造が容易でありかつ製造コストを低減できる。
【発明を実施するための最良の形態】
【０００９】
本発明を図面に示す実施形態に従って説明する。
図１Ａは、本発明の第１の実施形態に係る陰唇間パッドの身体装着側からみた斜視図であり、図１Ｂは、その陰唇間パッド１０を非肌当接面側からみた平面図、図１Ｃは、図１Ａに示す陰唇間パッドの長手方向略中央部を横断する線Ｘ−Ｘで切断した断面図である。
本実施形態に係る陰唇間パッド１０は、図１Ａ及び図１Ｃに示すようにその身体側となる液透過性の表面シート１２と、装着側と反対側つまり非肌当接面側の液不透過性の裏面シート１３と、両シート間に収容された吸収体１４とからなり、吸収体１４を介在した状態で両シート１２、１３を例えばヒートシール、高周波シール等の周知の接合手段で接合して吸収体１４を封止してパッド本体１５を形成している。
【００１０】
陰唇間パッド１０は、裏面シート１３の下側に更に別の下面シート１６を同様に周知の接合手段で接合し、二つ折りして図示のように身体側となる表面シート１２側を凸状にして、そのパッド本体１５のシールした表面シート１２及び裏面シート１３の両端間に所定の間隔を持たせて液不透過性の下面シート１６を周知の接合手段で接合する。
【００１１】
この下面シート１６と表面シート１２及び裏面シート１３を以上のように接合することで、パッド本体１５の裏面シート１３と下面シート１６との間には断面略３角形の指挿入口及び空間２０が形成される。
【００１２】
この陰唇間パッド１０は、図１Ｂに示すように、その非肌当接面側の下面シート１６にはそれぞれ通液孔２２が複数個適当な間隔を距てて設けられており、かつ、これと同様の通液孔がパッド本体１５を構成する裏面シート１３にも設けられている。
１７は、陰唇間パッド１０の下面シート１６に設けられた固定層であって、その剥離力が5〜50cN/25mmとなるように粘着剤が前記通液孔２２を囲うようにパッド本体１５の裏面の縁に沿って連続して設けられており、これにより図示しない生理用ナプキン等の併用パッドの吸収体に直接接合するようになっている。その剥離力が5cN/25mm未満では接合力が弱く、かつ50cN/25mmを越えると固定層同士が接合し易くなり、とくに、後述するように個装時に二つ折りした裏面同士が互いに接合すると、使用時に引き離しにくくなるからである。
【００１３】
ここで用いている固定層の剥離力は粘着部が幅２５ｍｍ、長さ３０ｍｍになるようにサンプリングして、固定層同士を、日本規格協会の試験用添付白布綿カナキン３号と２Ｋｇローラーで一往復させて貼り合わせた後、３０ｓ以内に300ｍｍ/分の速度で剥離できる引張り試験機（（株）オリエンテック  RTC-1210A）を用いて測定し、その剥離力の極大平均値を剥離力とした。
【００１４】
パッド本体１５の下面に連続した粘着剤からなる固定層１７を設けたことにより、通液孔２２を通して陰唇間パッド１０の吸収体１４から流れ出した例えば経血は、併用パッドの吸収体に吸収されるが、仮に経血の流出量が多い場合でも、併用パッドの吸収体上に溢れた経血は、前記下面シート１６と併用パッドの吸収体とが密接に接合しているために漏洩することがない。
なお、固定層１７は、粘着剤に限らず例えば生理用ナプキンなどの併用パッドの不織布と係合する機械的ファスナの雄型つまりフックであってもよい。陰唇間パッド１０は身体に装着後に併用パッドなどと接合されるが、接合力が強いと不要箇所に貼り付き装着が外れてしまう虞があるため、その剥離力はゼロに近い方が望ましい。その点、本実施形態における固定層１７は、粘着剤を用いる場合は、剥離力を5cN/25mm以上50cN/25mm以下と低く制限しており、また機械的ファスナを用いる場合は、そのフック同士は接合しないから剥離力を要せず、いずれにしても固定層１７同士の貼り付きがむやみに起こらず取り扱いが容易である。
【００１５】
図２は、第２の実施形態に係る陰唇間パッド１０の非肌当接面側を示す平面図である。
この実施形態では、図示のように、通液孔２２の部分を除き下面シート全面に粘着剤を設けている。固定層１７をこのように設けることにより、陰唇間パッド１０と併用パッドとが結合されるから、前記下面シート１６と併用パッドの吸収体からの経血等の漏洩が防止できる。
なお、このように粘着剤の塗布領域を増大してもその剥離力は5〜50cN/25mmに制限されているから、装着時にむやみに貼り付きが起こらず取り扱いが容易である
【００１６】
図３は陰唇間パッド１０の第３の実施形態を示す。
この陰唇間パッド１０は、身体側の液透過性の表面シート１２と、身体側と反対側つまり非肌当接面側の液不透過性の裏面シート１３と、両シート間に内包された吸収体１４とからなるパッド本体１５を備えているが、吸収体１４が図示のように下面は平らで上に向かって凸状をなし、裏面シート１３がその吸収体１４の下面に沿って配置されていると共に、裏面シート１３には、図２に示すようにその裏面シート１３の通液孔２２を除く部分全体に固定層１７が形成されている。
【００１７】
この実施形態では、吸収体１４の容量が大きいため、より多くの経血などを吸収でき、かつ裏面シート１３に直接固定層１７を設けたことにより、経血等は、吸収体１４から図示しない併用パッドの吸収体に直接導かれる。この構成では別途下面シートを用いていないため、構成は簡単であるが、装着時に指を差し込む開口は設けられていない。
なお、この陰唇間パッド１０においても、図１Ｂに示すように、複数の通液孔２２とその孔を囲むようにして固定層１７を形成するようにしてもよい。
【００１８】
図４Ａは、本発明の第４の実施形態に係る陰唇間パッドを非肌当接面側からみた平面図である。４Ｂはその断面図である。
第４の実施形態に係る陰唇間パッド１０は、図４Ａ及び図４Ｂに示すように、第１の実施形態に係る陰唇間パッドと同様にその身体側となる液透過性の表面シート１２と、装着側と反対側つまり非肌当接面側の液不透過性の裏面シート１３と、両シート間に収容された吸収体１４とからなるパッド本体１５を有している。吸収体１４は前記両シート１２、１３を例えばヒートシール、高周波シール等の周知の接合手段で接合して封止されている。パッド本体１５は、図示のように二つ折りされてその両端間に液不透過性の下面シート１６が接合されている。
【００１９】
この下面シート１６と表面シート１２及び裏面シート１３を以上のように接合することにより、パッド本体１５の裏面シート１３と下面シート１６との間には断面略３角形の指挿入口部２０が形成されている。
【００２０】
更に、下面シート１６は、図４Ａ及び図４Ｂに示すように、前記パッド本体１５の側縁から横方向に所定の長さ延在してウイングＷを形成している。このウイングＷの下側、つまり非肌当接面側には陰唇間パッド１０を図示しない生理用ナプキンなどの併用パッドのシートに接合するための別の固定層１８がそれぞれ対称の位置に設けられている。
【００２１】
前記ウイングＷはこの実施形態では下面シート１６で形成され、このシート１６に表面シート１２と裏面シート１３を接合しているが、表面シート１２，裏面シート１３，ウイング形成用シート１６を一体に接合してウイングＷを形成するものであってもよい。
【００２２】
なお、以上で説明したウイングＷの幅はパッド本体１５の側縁部の長手方向略中央部のみに所定の幅で延在させてもよく、その場合には、ウイング形成用シートは、ウイングの幅と同一でも、或いはパッド本体１５の長手方向長さと同じ長さに形成し、ウイングＷの部分のみを細幅に形成してもよい。
【００２３】
また、吸収部材従って吸収体の形状は以上の実施例に限らず任意であり、吸収体は実質的に縦長形状であれば楕円形、矩形或いは一方のみの幅を大きくした等でもよく、また、パッド本体１５は、例えば液透過性材料からなるカバーシートで吸収体を包み込むタイプ等、他の周知のタイプのものが使用できる。さらに、ウイングＷも例えば、半円形その他の形状であってもよい。
【００２４】
図５は個々の陰唇間パッドを個包装した状態を示す断面図である。
図示のように、陰唇間パッド１０は身体側を表にして二つ折りして包装体である個装袋３０に個装されている。陰唇間パッド１０をこのように二つ折りしたことにより、その固定層１７は内側に相互に向かい合わせの状態に折り畳まれており、露出しないから、固定層１７を粘着剤で形成する場合であっても別途剥離シート等で被覆する必要がない。
この場合、仮に固定層１７の粘着剤同士が接合してもその剥離力は低く設定されているから、使用時に容易に引き離すことができる。
【００２５】
なお、以上の実施形態では、固定層は粘着剤を塗工することで形成しているが、粘着剤に代えて例えば機械的ファスナのフックを設けるようにしてもよい。この場合は、このフックを例えば生理用ナプキンなどの併用パッドに軽く押圧することで、その不織布繊維に絡ませて接合する。このようにフックを用いる場合は、包装体（個装）内で陰唇間パッドを二つ折りしてもフック同士は接合せず、装着時に容易に展開することができる。
また、粘着剤のようなべとつきもないため扱いやすいという利点がある。
【００２６】
以上で説明した陰唇間パッド１０を装着するには、陰唇間パッド１０に指層入部２０があるものでは、その指挿入部２０に利き手の人差し指を挿入し、他方の手の指で陰唇を開き表面シートを陰唇間に装着する。
装着の際、陰唇間パッド１０がウイングＷを備えたものでは、挿入部２０に挿入した指以外の指をカバーするため、経血などで指が汚れるのが防止できる他、ウイングが生理用ナプキンなどの汚れを防止する。
陰唇間パッド１０を身体に装着した状態で、図示しない生理用ナプキンを前記パッド１０に当接し、前記パッド１０のウイングＷの非肌当接面側に設けた固定層を生理用ナプキンに接合することで一体する。その場合、固定層の粘着力は前述のとおり小さく設定されているから、前記装着中に固定層同士が貼り付く虞がない等、本実施形態の陰唇間パッドは取り扱い易く便利である。
【００２７】
また、経血等が多い場合、前記陰唇間パッド１０の吸収体１４の吸収容量を越え前記パッド１０から漏洩することがあるが、一体に接合した生理用ナプキンで漏洩した経血を吸収できるので外に漏れる虞れはない。
【００２８】
使用後は、一体に接合された生理用ナプキンと一体の状態で外すことができるため、汚れた陰唇間パッド１０を誤って落とすことがなく安心して取り替えが可能である。
【００２９】
なお、前記各実施形態に係る陰唇間パッド１０の変形例として、下面シートを液透過性のシートで構成し、かつ、下面シートの複数箇所に粘着剤不塗工領域を設け、その領域を囲んで下面シート全面に粘着剤を塗工してもよい。
【００３０】
以上の各部材を構成する材料としては当該技術分野において通常用いられているものをそのまま用いることができる。即ち、本実施例の陰唇間パッド１０に用いる表面シート１２，裏面シート１３及び吸収体１４の材料は、特に制限されず、例えば、通常の生理用ナプキンや陰唇間パッドに用いられるものが用いられる。
例えば表面シート１２としては、親水性且つ液透過性不織布や、開孔フィルムを用いることができる。裏面シート１３としては液不透過性のフィルム等を用いることができる。
【００３１】
上記裏面シート１３並びにウイングＷの材料としては、ポリオレフィン、オレフィンとアクリル酸エステル、酢酸ビニル等の他のビニルモノマーとの共重合体、ポリエステル、ポリアミド又はポリマーブレンド系等の疎水性熱可塑性樹脂等が挙げられ、これらのうちでも、風合い、取り扱いの面からポリオレフィンもしくはオレフィンと他のビニルモノマーとの共重合体、またはポリマーブレンド系の疎水性熱可塑性樹脂が好ましく、単独若しくは混合物として用いることができる。そして、疎水性熱可塑性樹脂を成形して、シートにする等して得られるフィルムを、裏面シート１３並びにウイングＷとして用いることができる。更に、前記疎水性熱可塑性樹脂には、ＴｉＯ2 やタルク等の無機フィラーを内添し、得られるフィルムのカバーリング性や表面べたつきを抑えるのが好ましい。また、上記シートを２つ以上用いて形成した積層シートからなるフィルムは、本発明における上記裏面シート１３並びにウイングＷとして、特に好ましく用いることができる。
【００３２】
表面シート１２は、上記裏面シート１３並びにウイングＷの材料と同様のものを用いることができが、直接に着用者の肌に接するものであるため、柔軟で着用感を阻害しない液透過性のある周知の材料を使用する。例えば、繊維シート、開孔繊維シート、開孔フォームフィルム、スルーエア不織布、ポイントボンド不織布、スパンレース不織布、メルトブロン不織布等を使用することができる。繊維材料としては、セルロース繊維、レーヨン、アセテート、また、天然セルロース繊維を使用することができる。
【００３３】
吸収体は、液透過性材料と同様に、陰唇部分又は陰唇付近に当たるため柔軟な周知の材料、例えば、パルプ、レーヨン、コットン等の親水性繊維の積繊体や、これに高吸収性ポリマーの粒子を分散混合したものなど公知のものを特に制限無く用いることができる。
材料例としては、解繊パルプを主材とし、高分子吸水ポリマーを併用したものが好ましく、そのほか熱可塑性樹脂、セルロース繊維、高分子吸水ポリマーの混合物に熱処理したものなどが好ましい。高分子吸水ポリマーは、パルプと混合したものであってもよく、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましい。
【００３４】
更に他の吸収体の材料としては、ティッシュ、親水性処理を施した発泡シート、親水性処理を施したメルトプロン不織布、親水性繊維を主体とした繊維ウエブ、繊維ウエブをシート化することにより得られるスパンレース不織布、サーマルボンド不織布等の不織布材料から選ばれるシート若しくは粉砕状物、エアレイドバルブ不織布などが挙げられる。
【００３５】
接合シート体の反身体側面に塗布される「粘着剤」には、ＳＢＳ（スチレン‐ブタジェン‐スチレンブロック共重合体）、ＳＩＳ（スチレン‐イソプレン‐スチレンブロック共重合体）などの合成ゴムを主体としたホットメルトから選ぶことが望ましい。このような粘着剤は、面状、筋状、ドット状、螺旋状などのパターンで、反身体側面のほぼ全面にわたって塗布される。
【図面の簡単な説明】
【００３６】
【図１】図１Ａは本発明の第１の実施形態に係る陰唇間パッドの斜視図、図１Ｂはその反身体取付側からみた平面図、図１Ｃは図１Ａの線Ｘ−Ｘに沿った断面図である。
【図２】図２Ａは本発明の第２の実施形態に係る陰唇間パッドの斜視図、図１Ｂはその反身体取付側からみた平面図である。
【図３】第３の実施形態に係る陰唇間パッドの断面構造を示す図１Ｃと同様の断面図である。
【図４】図４Ａは第４の実施形態に係る陰唇間パッドの断面構造を示す図１Ｃと同様の断面図であり、図４Ｂはその反身体取付側からみた平面図である。
【図５】陰唇間パッドの個装状態を示す断面図である。
【符号の説明】
【００３７】
１０・・・陰唇間パッド、１２・・・表面シート、１３・・・裏面シート、１４・・・球種部材、１６・・・下面シート、１７・・・固定層１８・・・固定層、２０・・・指挿入部、３０・・・個装袋、W・・・ウイング。
【図１】
2007097958.tif 000003
【図２】
2007097958.tif 000004
【図３】
2007097958.tif 000005
【図４】
2007097958.tif 000006
【図５】
2007097958.tif 000007